(57)【要約】【課題】ＬＥＤバックライト付きカラーモニタにおいて、ユーザが簡単に実行できる空間分解方式の色調整方法を提供する。【解決手段】本発明は、ＬＥＤバックライト付きカラーモニタの色を調整する方法に関し、カラーモニタ（１）に表示された画像の少なくとも１つの領域が、イメージセンサまたはラインセンサとして構成されたカラーセンサ（７）を用いて、空間分解方式により遠隔的に測定され、測定された色値の所望の色値からのずれが空間分解方式で判定され、カラーモニタ（１）のＬＥＤバックライトはずれを局所的に修正するために作動される。カラーセンサ（７）がカラーテレビのリモコン（２）に内蔵されている場合、ユーザがリモコン（２）を適切にテレビに向けるだけで、カラーセンサ（７）はカラーテレビのテスト画像（３）を記録して、色補正を判定するために評価する。【選択図】図１
2015534097.tif 000002
【特許請求の範囲】
【請求項１】
ＬＥＤバックライト付きカラーモニタの色を調整する方法であって、
カラーモニタ（１）に表示された画像の少なくとも１つの領域を、少なくとも１つの領域で構成されたイメージセンサまたはラインセンサをカラーセンサ（７）として用いて空間分解方式により遠隔的に測定し、
カラーセンサ（７）は少なくとも４つの色を空間分解方式で区別可能であり、
測定された色値の所望の色値からの空間的に分解されたずれを判定し、
前記ずれを局所的に補正するためにＬＥＤバックライトを起動する
方法。
【請求項２】
前記カラーセンサ（７）による測定中、テスト画像（３）を前記カラーモニタ（１）に表示することによって色調整が行われる
ことを特徴とする請求項１に記載の方法。
【請求項３】
前記カラーセンサ（７）により、前記カラーモニタ（１）に表示された前記画像を完全に記録する
ことを特徴とする請求項１または請求項２に記載の方法。
【請求項４】
前記カラーセンサ（７）により、前記カラーモニタ（１）に表示された前記画像の異なる部分の複数の画像記録を作成し、前記カラーモニタ（１）に表示された前記画像の完全の画像記録の構築にそれを用いる
ことを特徴とする請求項１または請求項２に記載の方法。
【請求項５】
前記画像記録を前記カラーモニタ（１）に送信し、前記ずれを前記カラーモニタ（１）の評価装置（９）により判定する
ことを特徴とする請求項３または請求項４に記載の方法。
【請求項６】
前記ずれを、前記カラーセンサ（７）を含む携帯装置（２）の評価装置（９）により判定し、前記ずれの情報または前記ずれを補正するための情報を前記カラーモニタ（１）に送信する
ことを特徴とする請求項３または請求項４に記載の方法。
【請求項７】
前記送信は無線による
ことを特徴とする請求項５または請求項６に記載の方法。
【請求項８】
光学装置（８）を前記カラーセンサ（７）の前に設け、前記光学装置は、測定中に前記カラーモニタ（１）に表示された前記画像または前記画像の領域を前記カラーセンサ（７）にマッピングする
ことを特徴とする請求項１〜請求項７のいずれか一項に記載の方法。
【請求項９】
測定のために前記カラーセンサ（７）を正確に配置するため、測定が始まる前に、前記カラーセンサ（７）により記録したばかりの画像を前記カラーモニタ（１）に表示する
ことを特徴とする請求項１〜請求項８のいずれか一項に記載の方法。
【請求項１０】
カラーモニタの色を調整するシステムであって、少なくともＬＥＤバックライト付きカラーモニタ（１）と、前記ＬＥＤバックライトを制御する制御装置（１０）と、少なくとも１つの領域で構成されたイメージセンサまたはラインセンサをカラーセンサ（７）として備えた携帯装置（２）と、評価装置（９）とを有し、
前記カラーセンサ（７）は少なくとも４つの色を空間分解方式で区別可能に構成され、
前記携帯装置（２）は、前記カラーモニタ（１）に向けられたときに、前記カラーモニタ（１）に表示された画像の少なくとも１領域が、前記カラーセンサ（７）を用いて空間分解方式により遠隔的にスペクトル的に記録されるように構成され、
前記評価装置（９）は、記録された画像の所望の色値と前記カラーセンサ（７）により測定された色値とのずれを空間分解方式で判定し、ずれまたはずれから得られた補正値を制御装置（１０）に伝達し、
前記制御装置（１０）は、伝達された前記ずれまたは補正値に基づき、前記ずれを局所的に補正するために前記ＬＥＤバックライトを作動する
ことを特徴とするシステム。
【請求項１１】
前記携帯装置（２）は前記カラーセンサ（７）の前に光学装置（８）を有し、前記光学装置（８）により、前記カラーモニタ（１）に表示された前記画像または前記画像の領域を前記カラーセンサ（７）にマッピングする
ことを特徴とする請求項１０に記載のシステム。
【請求項１２】
前記評価装置（９）は前記携帯装置（２）に組み込まれ、前記ずれまた補正値を無線により前記制御装置（１０）に伝達する
ことを特徴とする請求項１０または請求項１１に記載のシステム。
【請求項１３】
前記評価装置（９）は前記カラーモニタ（１）または前記制御装置（１０）を含む装置に設けられ、前記携帯装置（２）は、前記カラーセンサ（７）により測定された空間的に分解された色値を、無線により前記評価装置（９）に伝達する
ことを特徴とする請求項１０または請求項１１に記載のシステム。
【請求項１４】
前記カラーモニタ（１）はカラーテレビであり、前記カラーセンサ（７）は前記携帯装置（２）としての前記カラーテレビのリモコンに組み込まれる
ことを特徴とする請求項１０〜請求項１３のいずれか一項に記載のシステム。
【請求項１５】
前記カラーセンサ（７）は、ナノ構造金属層または誘電層から形成されたカラーフィルタを有する
ことを特徴とする請求項１０〜請求項１４のいずれか一項に記載のシステム。
【発明の詳細な説明】
【技術分野】
【０００１】
本発明は、カラーセンサを用いてＬＥＤバックライト付きカラーモニタの色を調整する方法に関する。
【背景技術】
【０００２】
ＬＥＤバックライト付きカラーテレビやその他カラーモニタには、その耐用期間のうちに、または気温の影響で、ＬＥＤの色ずれが起こることがある。温度変化による場合のＬＥＤの色ずれはおよそ０．１ｎｍ／Ｋ程度である。つまり、人間の目はほんの３ｎｍの波長のずれを重度の色ずれと認識するため、カラーモニタ上に表示される画像は大きくゆがんで見えることになる。
【０００３】
上記の問題は、主として、カラーモニタのバックライトとして使用されるＬＥＤ製品の多様性に起因する。こうした製品の多様性は、使用されるＬＥＤが、その温度に依存する特性において局所的もしくは部分的に互いに異なり、異なる経時効果を示すことを意味する。また、局所的な色ずれは、３０００以上のＬＥＤが頻繁に一斉作動するバックライトにおける温度分布のムラにより起こることもある。このため、モニタ中心部は必然的に周辺部より温度が著しく高くなり、この２つの領域では異なる色ずれが発生する。
【０００４】
市販されているテレビ画面は、現在のところ、通常、工場においてのみ調整されている。対してコンピュータ画面の場合、ユーザがその色を調整することがある。この調整は、後に、または繰り返し調整を行うために画面に搭載された専用の３チャンネルセンサにより実施される。このセンサを用いて、カラーモニタに表示されたテスト画像中の色が測定され、色調整のためにコンピュータに送られる。
【０００５】
特許文献１はカラーテレビに関する対応技術を開示している。この技術において、カラーセンサが画面端の角部に搭載され、数平方センチメートルの測定画面部を記録する。このセンサを使えば、自動的にも、例えばカラーテレビのリモコンのボタンを押すことによっても、調整を始めることができる。こうして判定された色ずれは、制御部がカラーテレビのカラー表示を補正する際に使う補正値の算出に用いられる。工場で決められた補正機能によって、測定画面部に対して決定された補正が、画面の画像領域全体に送られる。
【０００６】
しかしながら、従来の技術では空間に依存する色ずれは識別できない。これらの測定方法は、画面のほんの小さな部分の色の測定に限られ、その後、この測定に基づいて画面全体に補正が行われる。この方法は、ＬＥＤが横方向に生成した光を特別な光学系により画面全体に分配する側面照明を備えた装置には適している。この場合、どんな色ずれも画面領域全体にわたって実質上同一となる。しかし、上記のようなＬＥＤバックライト付きカラーモニタの場合、画面背後に非常に多数のＬＥＤが分配されており、局所的に異なる色ずれが起こる可能性がある。
【０００７】
特許文献２に記載されるような、ＬＣＤパネルの背後にＬＥＤパネルが配置されたＬＥＤバックライトを有するＬＣＤモニタが知られている。色もしくは輝度分布を均一にするために、まず、全てのＬＥＤが同じ電圧で駆動される。そして、実際の色分布が、所定数の画素からカラーセンサにより記録される。この記録された値からＬＥＤバックライトを作動させるための補正値が算出され、その補正値により、モニタ上の色もしくは輝度分布を均一にできる。
【０００８】
特許文献３は、ダイレクトＬＥＤバックライトのホワイトバランス方法を開示している。その方法によれば、ＬＥＤが所定の制御値により駆動され、ＬＥＤスクリーンが発する光の色値はカメラにより記録される。ＬＥＤ制御値は、測定値に基づき変更される。
【先行技術文献】
【特許文献】
【０００９】
【特許文献１】独国特許出願公開第１０２００９００４２３６号明細書
【特許文献２】米国特許出願公開第２０１１／００２８５７６３号明細書
【特許文献３】米国特許出願公開第２０１０／００７９３６５号明細書
【発明の概要】
【発明が解決しようとする課題】
【００１０】
本発明は、上記の問題点を解決するためになされたものであり、ＬＥＤバックライト付きカラーモニタにおいて、ユーザが簡単に実行できる空間分解方式の色調整方法を提供することを目的とする。
【課題を解決するための手段】
【００１１】
上記課題は請求項１に記載の方法により解決される。請求項１０の発明はその方法を実行するためのシステムであり、カラーモニタと色測定装置を有する。その方法および関連するシステムの好適な実施形態は従属請求項の主題であり、以下の記載および典型的な実施形態から推測できる。
【００１２】
本発明のカラーモニタの色調整方法によれば、カラーモニタに表示される画像の少なくとも１つの領域が、カラーセンサを用いて、空間分解方式によりリモートで測定される。この場合、カラーセンサは２次元イメージセンサまたはラインセンサとして構成される、もしくはこの種のセンサの領域を表し、完全な空間分解方式の測定で対応領域を記録することができる。続いて、測定された色値の所望の色値からのずれが空間分解方式で決定され、ＬＥＤバックライトは局所的なずれを補正するために作動される。好ましくは、測定中、カラーセンサは画像領域だけではなく、表示された画像全体を空間分解方式で記録する。
【００１３】
マルチチャネルカラーセンサは最終的には４つの色を空間分解方式で区別可能でなければならない。画素は、例えば、異なるカラーフィルタを持つ４以上のサブピクセルを含んでもよい。この場合、好ましくは、色調整のために作動されるカラーモニタはテスト画像を表示し、テスト画像はカラーセンサにより記録される。この場合、テスト画像は、画像の隅々までカラーモニタ全体にわたって最適な色補正を実施するために、局所的に緻密に構成されてもよい。
【００１４】
好ましい実施形態において、カラーセンサは、カラーモニタに表示された完全な画像を空間分解方式により動くことなく記録するよう構成される。これにより、例えば、画面に向けたカラーセンサを用いてボタンをひと押しするだけで、画面全体の色調整を実行することができる。他の実施形態では、例えば、カラーセンサとしてラインセンサが使われているとき、カラーモニタに表示された画像の一部だけが記録される。そして、画面全体をスキャンするため、もしくは画像領域全体を記録するためにセンサが適宜に移動され、それによりカラーモニタに表示された画像全体の記録が色調整のために構築される。
【００１５】
本発明の方法によれば、カラーセンサの測定値（例えば対応する色情報を伴う１もしくは複数の画像記録）がカラーモニタに送信され、カラーモニタの評価装置において局所的な色ずれが判定されてもよい。他の実施形態においては、カラーセンサを含む携帯装置に設けられた評価装置においてずれが判定され、ＬＥＤバックライトの色補正のためにカラーモニタに送信されてもよい。好ましくは、この場合の送信は、例えば赤外線もしくは電波によって無線で行われる。
【００１６】
本発明の方法によれば、ユーザは必要な時にいつでも自分のカラーモニタの色調整を簡単に行うことができる。表示画像の１または複数の画像記録を得るために、ユーザはただ動作中のカラーモニタにカラーセンサ付きの携帯装置を向けるだけでよい。例えば、装置のボタンを押す等して測定を始めることにより、上記の色補正が自動的に行われる。携帯装置は、例えば、カラーセンサが組み込まれた携帯電話、スマートフォン、もしくはタブレットでもよい。
【００１７】
テレビの場合、好ましくは、カラーセンサはカラーテレビのリモコンに組み込まれる。ユーザはただカラースクリーンにカラーセンサ付きのリモコンを向けてキーを押すだけで、色調整のための測定を始められる。キーを押すことによって、カラーテレビは駆動されて色調整に適切なテスト画像を表示し、カラーセンサは評価のために対応する画像を記録する。さらに追加として、カラーセンサを用いて正確にテスト画像を記録するために、測定の際にユーザが正確に装置を位置付けるための位置センサを外部装置、具体的にはリモコンに設けてもよい。この場合、カラーテレビの画面には、対応する補助事項が表示されてもよい。例えば、カラーセンサにより記録されたばかりの画像領域を、測定が始まる前にリアルタイムで画面上に表示してもよい。測定のため正確な配列を行うために、装置を動かして位置センサを使用するときに配列されるマークをオンスクリーン画像上に表示してもよい。
【００１８】
１実施形態によれば、画面全体ではなく画像の一部のみで色が補正される。このことは、色ずれが画面の１領域のみで確認された場合に好都合である。工場でのカラーモニタの調整も同様の方法で行うことができる。
【００１９】
したがって、本発明の方法によれば、ユーザは画面上での厄介な測定装置の位置決めをする必要がない。ユーザがただカラーセンサ付きの装置（例えばリモコン）を画面に向けボタンを押すだけで測定が実行される。このようにして、いつでも、また任意の間隔で繰り返し、簡単に色調整を行うことができる。空間分解方式の記録とカラーモニタに表示された画像の評価により、異なる領域間で色ずれが起こらないよう、ＬＥＤバックライトの個々のＬＥＤもしくは一群のＬＥＤの色を補正できる。この方法は、例えばコンピュータモニタ等の他のカラーモニタにも適用できる。この場合、外部カラーセンサは、色調整のためにモニタに向けられるコンピュータマウスや別個の携帯装置に組み込まれていてもよい。
【００２０】
カラーモニタに表示された画像を記録するために、好ましくは、カラーセンサを含む色測定チップ上もしくはチップ前に適切な光学系が搭載される。この光学系により、例えば、カラーモニタに表示された画像は完全に色測定チップ上にマッピングされる。カラーセンサは遠隔測定により間接照明も記録する。間接照明は日光と室内照明の混合物であることが多く、画面全体に均一に分布しないことがある。この様な不均一な分布と、これによる表示画像上の色の影響も同様に本方法により補正することができる。
【００２１】
従来の技術と比較して、本発明の方法は、画面全体の色度座標の補正と空間分解方式の測定に適用できる。このことは、ＬＥＤバックライト付きカラーモニタに特に有用である。この場合、ディスプレイ全体が、例えば直接ＬＥＤまたはフルＬＥＤとして知られる、ＬＥＤアレイにより背後から照らされる。この種のカラーモニタでは、個々のＬＥＤもしくはＬＥＤ群の局所的な減光による画像コントラストは、実質上画像の暗い領域で高くなることがある。本発明の方法を使えば、ＬＥＤバックライトのために同じＬＥＤを選ぶという時間も費用もかかる作業（ビニング）を省くことができる。色調整を繰り返すことにより、個々のＬＥＤ間の異なる色ずれを簡単に補正することができる。
【００２２】
本発明のカラーモニタと色測定センサシステムはＬＥＤバックライト付きカラーモニタを有し、制御装置により個々のＬＥＤもしくはＬＥＤ群の色を選択的に変更することができる。マルチチャネル色測定センサはイメージセンサもしくはラインセンサとして構成され、またはイメージセンサもしくはラインセンサの領域を形成し、少なくとも４つの色を空間分解方式により区別可能であり、携帯装置がカラーモニタの画面に向けられたとき、少なくとも画像の１領域が色測定センサを用いて空間分解方式によりスペクトル的に記録されるよう携帯装置に組み込まれている。評価装置が表示画像の所望の色値と色測定センサにより測定された色値との色ずれを判定する。評価装置は携帯装置、カラーモニタ、または制御装置を有する装置に組み込まれていてもよい。評価装置は色ずれまたは対応する補正値をＬＥＤバックライトの制御装置とやり取りし、個々のＬＥＤもしくはＬＥＤ群に色ずれを補正させる。好ましくは、カラーセンサ付き携帯装置は、評価装置もしくはＬＥＤバックライトの制御装置に無線で接続されている。本発明の好適な実施形態のシステムは上記の異なる処理がそれぞれのケースにおいて実行されるよう構成されている。
【００２３】
本発明に係る方法およびそれに関連するシステムは、図面と併せた典型的な実施形態によって以下により詳細に再度説明される。この図面は以下の通りである。
【図面の簡単な説明】
【００２４】
【図１】図１はカラーテレビの色調整の手順の例を示す。
【図２】図２は本発明に係る方法で使用可能なカラーセンサの詳細を示す。
【図３】図３は本発明に係る方法を実施するためのシステムの異なる構成要素の例を示す。
【発明を実施するための形態】
【００２５】
以下に、本発明に係るカラーテレビの色調整方法を詳細に説明する。本方法の基本的な構想は、好ましくはカラーセンサとして構成されたマルチチャネル色測定チップを外部携帯装置に設置し、例えば１〜５メートルの距離から画面上に表示されている画像の１領域、好ましくは画像全体、を記録し、色ずれを判定するために評価するものである。本例において、色測定チップはカラーテレビ１のリモコン２に組み込まれている。コマンド、例えばユーザによるリモコンボタンの押下、に応じて、テレビ１は、既知の所望の色分布と共にテスト画像をカラーセンサに送信し、カラーセンサはテスト画像の色測定を実施する。テレビ１に表示されたテスト画像３全体をカラーセンサで記録するために、ユーザはカラーセンサ付きのリモコン２をテレビ１に向ける。図１はこの概略を示す。このように記録もしくは測定された画像は、テスト画像における所望の色分布の所望の色値間の局所的な色ずれを判定するために、色測定チップや、リモコンの評価機構として機能するその他の電子部品によって解析される。この場合、テスト画像の所望の色分布は、例えばリモコンやカラーテレビにおいて確実に特定できる。テスト画像の所望の色分布はリモコンを介してテレビに送信されてもよく、テレビは設定にしたがってテスト画像を表示する。リモコンとテレビが双方向に接続されている場合、テスト画像の所望の色分布は、その逆に、テレビからリモコン、またはそれに含まれる色測定チップ、電子部品へと伝送されてよい。解析中に、測定された色値と所望の色値との色ずれが空間分解方式で判定される。そして色補正または色調整に関するパラメータがテレビに送信され、制御装置によりカラーディスプレイを空間分解方式で補正するため、ＬＥＤバックライトを駆動するために使用される。色補正の他にも、本方法は、輝度バラツキの補正にも適用できる。
【００２６】
空間的に分解された色情報または色ずれは、好ましくは、テレビのリモコンに使われているような電波もしくは赤外線インタフェースを介して送信される。または、色測定チップにより記録された色情報または記録された画像全体は、テレビに送信され対応するユニットにより評価されてもよい。
【００２７】
テレビに表示されるテスト画像は、全記録領域にわたって最適な色調整を実施するために適切に選択されてもよい。このためには、好ましくは、全画面領域を隅々まで調整できる精密に構成されたテスト画像が使用される。図１はこのための、交互に黒と白領域４を持つチェス盤パターン様のテスト画像の一例を示す。白領域４は、領域４を形成するバックライトの４つのＬＥＤにより、色の組み合わせと共に精密な構成を示す。これは、図１の領域４の拡大図において、赤色ＬＥＤ１１、青色ＬＥＤ１２、２つの緑色ＬＥＤ１３の発光により示されている。
【００２８】
この場合、カラーセンサを用いた測定は、白・黒領域のみが分解され、白色と黒色に関して色ずれが検査されるように行われる。測定はより大きな空間分解能で行ってもよく、その場合、個々のＬＥＤ１１〜１３の色も測定される。
【００２９】
この手順もまた、例えばコンピュータモニタ等その他のカラーモニタに送信されてもよい。この場合、色測定チップは、好ましくは赤外線や電波接続を介して、例えばコンピュータのカラーモニタやカラーモニタの制御部と通信する別体の携帯装置に収納されている。また、色測定チップは、無線または有線のコンピュータマウスに収納されていてもよく、ユーザは色調整をする際にはそのマウスをカラーモニタに向ける。
【００３０】
本実施形態の色測定チップはイメージセンサを備える。イメージセンサは、少なくとも４つの色をスペクトル的に空間分解方式で区別可能であり、したがってテレビ画像の色度座標をより正確に判定することができる。このためには、例えば、従来の４つのサブピクセルを持つバイエルマトリックスの代わりに交互ピクセル配列を示すナノ構造ＣＭＯＳカラーセンサまたはイメージセンサを使用してもよい。この場合、４つのサブピクセルは異なるカラーフィルタを持ってもよい。より品質を向上するために、図２のイメージセンサの詳細図に概略的に示されるように、９チャネルのサブピクセルを使用してもよい。この場合、イメージセンサの各測定野５は９つのサブピクセル６を示す。各測定野５のサブピクセル６は、例えば国際公開第２０１２／００７１４７号に記載されるように、スペクトル的に異なる感度のナノ構造金属層をカラーフィルタとして備える。これを、図２に示される測定野５のうちの１つにおいて、ローマ数字I〜IXにより示す。イメージセンサもしくはカラーセンサを実現するためにナノ構造金属を使用することで、従来のイメージセンサの作成に通常用いられるように、カラーセンサをＣＭＯＳ処理により追加費用なしで作成できるという利点がある。ナノ構造金属層の代わりに、誘電層からなるカラーフィルタを利用してもよい。
【００３１】
空間分解能は色測定チップの測定野５の総数および測定中に画面全体もしくはその１領域が色測定チップにマッピングされたかどうかに依存する。カラーセンサまたは色測定チップは少なくとも、例えば４×３の測定野を有する。カラーモニタの画像全体より小さな領域のみを記録する場合、例えば、空間分解能が向上するように、ユーザは携帯装置を使って手作業で表示画像をスキャンすることもできる。それにより生成された複数の画像は、評価部において自動的に１つの完全な画像に組み立てられる。
【００３２】
２次元イメージセンサ以外に、ラインセンサを本実施形態のカラーセンサとして使用してもよい。しかし、ラインセンサの場合、測定する領域で対応する色情報を記録するためには、ユーザがその領域でセンサを誘導しなければならない。
【００３３】
１実施形態では、カラーセンサはイメージセンサもしくはラインセンサの領域（例えば、イメージセンサの中心領域）のみを取り込んでもよい。また、１つの大面積測定野のみを有するカラーセンサで、イメージセンサの対応する大きな領域を取り込んでもよい。画像情報に基づく測定のために、例えば、測定においてカラーセンサ付き携帯装置を動かすべき方向を示す矢印のような指示を、ユーザのために画面上に表示してもよい。
【００３４】
図３は本発明の方法を実行するシステムの異なる構成要素の例を示す。この種のシステムは、好ましくは、色測定チップ７に加えて、カラーモニタ１に表示される画像もしくはその画像の１領域を色測定チップ７の画像記録面にマッピングする光学装置８を有する。システムはさらに評価装置９を有する。評価装置９は色測定チップ７に組み込まれてもこれとは別に携帯装置に配置されてもよく、また、カラーモニタ上に設けられても、そこに接続されたコンピュータに設けられてもよい。評価装置９は、カラーモニタ１のＬＥＤバックライトを駆動するために制御装置１０に接続される。色測定チップ７と評価装置９との間、また、評価装置９と制御装置１０との間は、有線または無線により接続される。
【００３５】
本発明の方法を用いる場合、色調整のためにユーザはカラーセンサが組み込まれたリモコンまたはそれに対応する携帯装置を手に持って、内臓カメラまたは内臓カラーセンサが画面の所望の領域、好ましくは画面全体、を記録するような位置につく。好適な実施形態においては、カメラまたはその他色測定センサは、記録された画像が画面の１領域に表示されるように、カラーモニタに送信することができる。この表示に基づき、ユーザは誤った位置決めを識別し、簡単に修正することができる。最適な位置になったとき、ユーザは、カラーモニタ上で、調整を始められることを知り、対応するキーを押す。カラーモニタに表示された画像中に、例えば、記録された画像領域の中心または現在記録されている画像領域の位置を示すために、代替的にもしくは付加的に、位置センサをリモコンまたは携帯装置に設けてもよい。このために、対応するフレームが表示されてもよい。同様に、色測定の際のカメラ振れを防ぐために、光学的または電気的な手振れ防止機構を携帯装置に備えてもよい。
【符号の説明】
【００３６】
１    カラーモニタ／カラーテレビ
２    リモコン／携帯装置
３    テスト画像
４    テスト画像の詳細
５    イメージセンサまたはカラーセンサの測定野
６    イメージセンサまたはカラーセンサのサブピクセル
７    色測定チップ
８    光学装置
９    評価装置
１０  制御装置
１１  赤色ＬＥＤ発光
１２  青色ＬＥＤ発光
１３  緑色ＬＥＤ発光
【図１】
2015534097.tif 000003
【図２】
2015534097.tif 000004
【図３】
2015534097.tif 000005
【国際調査報告】
2015534097.tif 000006
2015534097.tif 000007
2015534097.tif 000008
2015534097.tif 000009
2015534097.tif 000010
2015534097.tif 000011